Podtech/llm-jp-corpus-v4-ja_patent huggingface dataset:
(57)【要約】      （修正有）【課題】装着していながら、立ち姿勢のままで小用を足すことが出来る男性用の尿パッドを提供する。【解決手段】縦長で表面が尿の透過性のシート１が中央にあって、そのシートの上部両サイドに羽２、３が付いており、下方にいく程幅が狭くなる尿パッドに於いて、尿パッドをパンツの内側にセッティングする時、透過性のシートの上部左側にある羽２の、パンツ裏の前開きの中間点から下辺までの縁の部位に山折り線４を設け、山折り線に従って羽を折りながらパンツの前開きの中に入れてパンツの布に貼る。【選択図】図１
0003221544.tif 000002
【実用新案登録請求の範囲】
【請求項１】
表面が透過性で裏面が不透過性のシートの左側にある羽を山折り線で折り返し、パンツ裏の開口部の中に入れて、身体側の布に貼りつける男性用尿パッド。
【請求項２】
表面が透過性で裏面が不透過性のシートの両サイドにある羽の裏面全体に剥離可能な粘着液を付け、尿パッドが簡単に捲れたり剥がれないようにした男性用尿パッド。
【考案の詳細な説明】
【技術分野】
【０００１】  本考案は、通常の生活における尿失禁用尿パッドに関するものである。
【背景技術】
【０００２】  従来、男性用尿パッドを装着したときは、小用を足す度に便座ルームを利用しなければならなかった。
【考案概要】
【考案が解決しようとする課題】
【０００３】  しかし、これでは小用を足す度に便座ルームに入って、ズボンやパンツの上げ下げをしなければならないという煩わしさがある。
【課題を解決するための手段】
【０００４】  本考案は、シートの両サイドにある羽の裏面全体に剥離可能な粘着液を付けて、簡単に捲れたり剥がれないようにする。又、尿パッドの上辺を前あきパンツ内側にある開口部の中間の高さに合わせ、更に、左側の羽にある山折り線の頂点とパンツの開口部の頂点が重なるように尿パッドを配置し、左側の羽にある山折り線を開口部の縁に沿って折り、開口部の中に入れてから身体側の布に貼るという事により、問題点を解決する。
【考案の効果】
【０００５】  上述の手段によって、本考案はパンツ前面の開口部からペニスの出し入れが可能になり、立ち姿勢のままで小用を足すことができる。よって、小用の度に便座ルームに入ってズボンやパンツの上げ下げをする必要性がなくなる。又、シート左側の羽をパンツ開口部の中に入れて身体側の布に貼るので、羽とシートが身体側の布を挟む形になり、尿パッドのシートが捩れにくくなるので、尿パッドの外に尿が漏れることもない。
【図面の簡単な説明】
【０００６】
【図１】  本考案の男性用パッドの実地例を示す正面図である。
【図２】  本考案の男性用パッドの実地前の正面図である。
【考案を実地するための形態】
【０００７】  本考案を実地するには、透過性のシート１の表面をパンツの内側にし、尿パッドの上辺をパンツの開口部の中間の高さに合わせ、更に左側の羽にある山折り線の頂点とパンツ開口部の頂点が重なるように尿パッドを配置し、左側にある山折り線を開口部の縁に沿って折り、開口部の中に入れてから身体側の布に貼る。
【実地例】
【０００８】  以下、添付図面に従って一実地例を説明する。１は中央にある表面が透過性のシート、２はシート左側の羽、３はシート右側の羽、４は山折り線
【符号の説明】
【０００９】１  表面が透過性のシート
２  シート左側の羽
３  シート右側の羽
４  山折り線
【図１】
0003221544.tif 000003
【図２】
0003221544.tif 000004
【手続補正書】
【提出日】平成31年3月8日(2019.3.8)
【手続補正１】
【補正対象書類名】実用新案登録請求の範囲
【補正対象項目名】請求項１
【補正方法】変更
【補正の内容】
【請求項１】
縦長で表面が尿の透過性のシートが中央にあって、そのシートの上部両サイドに羽が付いており、下方にいく程幅が狭くなる尿パッドに於いて、表面が尿の透過性のシートの上部左側にある羽の、尿パッドをパンツの内側にセッティングする時、パンツ裏の前開きの中間点から下辺までの縁の部位に山折り線を設け、この山折り線に従って羽を折りながらパンツの前開きの中に入れてパンツの布に貼ることを特徴とする男性用尿パッド。
(57)【要約】【課題】  騒音が少なくて安全に使用され、農作業等において転圧作業に好適に使用されるバケット装置を提供する。【解決手段】  バケット本体２の後下部に転圧プレート３を備えるバケット装置において、バケット本体２の後部に天板７と両側板９と後板１１より囲まれる収納部１３が付設され、収納部１３内に転圧プレート３の作動ユニット１５が配置されてなるもの。【選択図】図１
0003221062.tif 000002
【実用新案登録請求の範囲】
【請求項１】
バケット本体の後下部に転圧プレートを備えるバケット装置において、
前記バケット本体の後部に天板と両側板と後板より囲まれる収納部が付設され、前記収納部内に前記転圧プレートの作動ユニットが配置されてなることを特徴とするバケット装置。
【請求項２】
前記作動ユニットが、油圧モータと、前記油圧モータに回転作動される偏心作動軸と、上部が前記偏心作動軸に回動可能に装着されるコネクティングロッドと、前記コネクティングロッドの両側に突出する前記偏心作動軸の軸受け部と、前記収納部の前記天板に取り付けられて設けられ前記軸受け部を支持する上部支持体と、前記転圧プレートに取り付けられて設けられ前記コネクティングロッド下部を軸支して支持する下部支持体とから構成される請求項１記載のバケット装置。
【請求項３】
前後方向の長さ寸法が９０〜１２０ｃｍ、高さ寸法が８０〜１１０ｃｍ、巾寸法が４５〜７５ｃｍである請求項１または２記載のバケット装置。
【考案の詳細な説明】
【技術分野】
【０００１】  この考案は転圧プレートを備えるバケット装置に関する。
【背景技術】
【０００２】  土木工事現場等においては、バケット装置に付設された転圧プレートにより法面の転圧作業が行われる。現状のこの種のバケット装置は大形で転圧プレートの作動時に多大な騒音が発生し、また、その作動部が露呈していて使用に際し危険な問題があった。一方、農作業等においても土面を平滑するために転圧作業が必要とされるが、その際には上記バケット装置は大型のショベルにより運転作動しなければならず、また、騒音、安全性の面で使用が難しかった。
【考案の概要】
【考案が解決しようとする課題】
【０００３】  この考案では、騒音が少なくて安全に使用され、農作業等における転圧作業に好適に使用されるバケット装置を提供することを目的とする。
【課題を解決するための手段】
【０００４】  この考案では、バケット本体の後下部に転圧プレートを備えるバケット装置において、前記バケット本体の後部に天板と両側板と後板より囲まれる収納部が付設され、前記収納部内に前記転圧プレートの作動ユニットが配置されてなることを特徴とするバケット装置を提供する。【０００５】  上記構成のバケット装置は、バケット本体の後部に天板と両側板と後板より囲まれる収納部内に転圧プレートの作動ユニットが配置されることで、作動ユニットの作動音が大きくなくて静粛に使用でき、また、作動ユニットが収納部内にあり露呈しないことで人体の接触による事故も防がれる。【０００６】  さらに、作動ユニットが、油圧モータと、油圧モータに回転作動される偏心作動軸と、上部が偏心作動軸に回動可能に装着されるコネクティングロッドと、コネクティングロッドの両側に突出する偏心作動軸の軸受け部と、収納部の天板に取り付けられて設けられ軸受け部を支持する上部支持体と、転圧プレートに取り付けられて設けられコネクティングロッド下部を軸支して支持する下部支持体とから構成されることで、上部支持体と下部支持体を用いて作動ユニットの取付けが容易に安定して行われる。また、油圧モータによりコネクティングロッドを作動させることで作動音がさらに軽減される。【０００７】  さらに、この考案のバケット装置は、前後方向の長さ寸法が９０〜１２０ｃｍ、高さ寸法を８０〜１１０ｃｍ、巾寸法が４５〜７５ｃｍとする小型に構成されることで、小型のショベルにより使用でき、農作業等に好適に用いられる。
【考案の効果】
【０００８】  この考案によれば、騒音が少なくて安全に使用され、農作業等における転圧作業に好適に使用されるバケット装置が提供される。
【図面の簡単な説明】
【０００９】
【図１】  この考案のバケット装置の実施形態の側面図
【図２】  この考案のバケット装置の実施形態の背面図
【図３】  この考案のバケット装置で用いられる作動ユニットの実施形態の斜視図
【図４】  この考案のバケット装置の用いられる作動ユニットの実施形態の断面構成図
【考案を実施するための形態】
【００１０】  図１はこの考案のバケット装置の側面図、図２は同背面図である。バケット装置１はバケット本体２とその後下部に設けられる転圧プレート３とを備える。バケット本体２は上部にショベルのアームへの取り付け部５が設けられている。バケット装置１は前後方向の長さ寸法を１１０ｃｍ、高さ寸法を１００ｃｍ、巾寸法を６０ｃｍとする小型であり、小型のショベルのアームに連結されて使用される。
【００１１】  バケット本体２の後部には、天板７と両側板９と後板１１より囲まれる収納部１３が付設され、収納部１３内に、図３、図４に示す転圧プレート３の作動ユニット１５が配置されている。
【００１２】  作動ユニット１５は、油圧モータ５２と、油圧モータ５２に回転作動される偏心作動軸５４と、上部が偏心作動軸５４に回動可能に装着されるコネクティングロッド５６と、偏心作動軸５４のコネクティングロッド５６から両側に突出する端部の軸受け部５７のそれぞれと、収納部１３の天板７に付設された固定板１２に取り付けられて設けられ軸受け部５７それぞれを嵌設支持する上部支持体１４と、転圧プレート３に取り付けられて設けられコネクティングロッド５６下部を軸支して支持する下部支持体４２とから構成される。
【００１３】  上記偏心作動軸５４は中央部分にカム断面構成を備えている。転圧プレート３はその前部の両側位置でバケット本体２の下面に軸支されている。油圧モータ５２の作動による偏心作動軸５４の回転に伴いコネクティングロッド５６が上下動し、これに連動して転圧プレート３が上下に振動されて転圧動作が行われる。油圧モータ５２を使用することで油圧シリンダーよりも騒音を少なくして転圧プレート３が振動作動される。
【符号の説明】
【００１４】１    バケット装置
２    バケット本体部
３    転圧プレート
７    天板
９    側板
１１  後板
１３  収納部
１５  作動ユニット
【図１】
0003221062.tif 000003
【図２】
0003221062.tif 000004
【図３】
0003221062.tif 000005
【図４】
0003221062.tif 000006
(57)【要約】      （修正有）【課題】堅牢で様々な射撃姿勢にも対応できるシューティングスタンドを提供する。【解決手段】シューティングレストの台座１の周りにクッション材２を設け、台座の底面または台座に接続した接続部品４に５／８インチ雌ねじ部３を設け、耐荷重が大きく様々なサイズが存在する一般のレーザー墨出し器用エレベーター三脚５の５／８インチ雄ねじに取り付ける。高さ調整が可能で様々な射撃姿勢に対応できる堅牢なシューティングスタンドになる。【選択図】図７
0003221063.tif 000002
【実用新案登録請求の範囲】
【請求項１】
台座と、台座の周りのクッション材で構成され、台座に５／８インチ雌ねじ部を有し、エレベーター三脚に取り付けて使用することを特徴とするシューティングレスト。
【請求項２】
台座と、台座の周りのクッション材、および台座に接続した５／８インチ雌ねじ部を有する接続部品で構成され、エレベーター三脚に取り付けて使用することを特徴とするシューティングレスト。
【考案の詳細な説明】
【技術分野】
【０００１】  本考案は、一般のレーザー墨出し器用エレベーター三脚に取り付けて使用するシューティングレストに関するものである。
【背景技術】
【０００２】  従来は、一般のカメラ用三脚またはカメラ用一脚に取り付けて使用するものや、三脚とシューティングレストが一体で構成されているシューティングスタンドがある。
【考案の概要】
【考案が解決しようとする課題】
【０００３】  しかしながらカメラ用三脚やカメラ用一脚は堅牢さに欠け、一体型のシューティングスタンドは様々な射撃姿勢に柔軟に対応できないという欠点があった。本考案は堅牢で様々な射撃姿勢にも対応できるシューティングスタンドの提供を目的とする。
【課題を解決するための手段】
【０００４】  上記目的を達成するために、一般のレーザー墨出し器用エレベーター三脚の５／８インチ雄ねじに取り付けることができるシューティングレストを提供する。
【考案の効果】
【０００５】  本考案のシューティングレストを、耐荷重が大きく、様々なサイズがあり、高さ調整が可能な一般のレーザー墨出し器用エレベーター三脚に取り付けて使用することで、堅牢で様々な射撃姿勢に対応できるシューティングスタンドになる。
【図面の簡単な説明】
【０００６】
【図１】本考案を実施するための形態を示す斜視図である。
【図２】本考案を実施するための形態を示す底面からの斜視図である。
【図３】本考案を実施するための構造を示す断面図である。
【図４】本考案を実施するための別の形態を示す底面からの斜視図である。
【図５】本考案を実施するための別の構造を示す断面図である。
【図６】本考案の使用状態を示す参考図である。
【図７】本考案の別の使用状態を示す参考図である。
【考案を実施するための形態】
【０００７】  本考案の実施の形態を図に基づいて説明すると、図１に示すように台座１の周りにクッション材２を設け、図２および図３に示すように台座１の底面または図４および図５に示すように台座１に接続した接続部品４に、５／８インチ雌ねじ部３を設けた形態である。
【実施例】
【０００８】  本考案の実施による使用状態を図に基づいて説明すると、図２および図３または図４および図５に示した５／８インチ雌ねじ部３を、図６および図７に示すように、耐荷重が大きく様々なサイズが存在する一般のレーザー墨出し器用エレベーター三脚５の５／８インチ雄ねじに取り付けることで、高さ調整が可能で様々な射撃姿勢に対応できる堅牢なシューティングスタンドとなる。
【符号の説明】
【０００９】  １    台座
２    クッション材
３    ５／８インチ雌ねじ部
４    接続部品
５    レーザー墨出し器用エレベーター三脚
【図１】
0003221063.tif 000003
【図２】
0003221063.tif 000004
【図３】
0003221063.tif 000005
【図４】
0003221063.tif 000006
【図５】
0003221063.tif 000007
【図６】
0003221063.tif 000008
【図７】
0003221063.tif 000009
(57)【要約】【課題】  この考案は、中空茎構造植物の竹茎や麦茎を用いてストローを製造し、自然界に廃棄されても微生物に分解され環境汚染や海洋汚染を引き起こさない植物茎ストローを提供する。【解決手段】  本考案の植物茎ストローの中空茎構造植物の竹茎、麦茎は［図１］６ａ、６ｂの様に節を有している、ストローの機能を満たすには、ストローの寸法に［図１］１ａ、１ｂの箇所を切断し［図１］２の様にパイプ状に残った中空茎の竹茎、麦茎が出来る、これを集めて煮沸すれば、あく抜きが出来て着色も容易になり殺菌もできる、引き上げ乾燥し完成する方法で製造する植物茎ストローであることを特徴とする。【選択図】図１
0003221054.tif 000002
【実用新案登録請求の範囲】
【請求項１】
中空茎構造植物の竹や麦の茎を用いてストローを製造し、自然界に廃棄されても微生物に分解されて環境汚染や海洋汚染を引き起こさない植物茎ストロー。
【考案の詳細な説明】
【技術分野】
【０００１】  本考案は、ストローに関するもので、中空茎構造植物の竹茎・麦茎を用いて製造する植物茎ストローと製造方法に関するものである。
【背景技術】
【０００２】  従来のストローはプラスチック樹脂等が主流であった、プラスチック樹脂等が自然界に廃棄されるとマイクロチップ化して環境汚染や海洋汚染を引き起こし深刻な問題になっている。  自然界に廃棄されても環境汚染や海洋汚染を引き起こさないストローが求められている。
【先行技術文献】
【特許文献】
【０００３】
【特許文献１】特願平１１−８５２８１号広報
【考案の概要】
【考案が解決しようとする課題】
【０００４】  従来のプラスチック樹脂等のストローには次の様な欠点があった。
（イ）自然界に廃棄されると分解されずマイクロチップ化して環境汚染や海洋汚染を          引き起こし深刻な問題になっている。
（ロ）製造過程は複雑で製造設備も高価である。
本考案はこれらの欠点をなくすためになされたものである。
【考案を解決するための手段】
【０００５】  従来のプラスチック樹脂等のストローは自然界に廃棄されるとマイクロチップ化し環境汚染や海洋汚染を引き起こし深刻な問題になっている。
中空茎構造植物の竹は各地に広く繁茂している、また中空茎構造の麦は大規模に栽培されている、麦茎は麦の脱穀後に廃棄処分されるもので入手は容易い。  竹茎、麦茎で植物茎ストローを製造すれば自然界に廃棄されても微生物に分解され環境汚染や海洋汚染を引き起こさない。
【考案の効果】
【０００６】  本考案は中空茎構造植物の竹茎、麦茎で制作する植物茎ストローであり自然界に廃棄されても微生物に分解され環境汚染や海洋汚染を引き起こさない。
【図面の簡単な説明】
【０００７】
【図１】本考案の植物茎ストローに供する中空茎構造植物の竹茎、麦茎をストローの寸法に１ａ、１ｂの箇所を切断する際の姿図である。
【考案を実施するための形態】
【０００８】  本考案の植物茎ストローに供する中空茎構造植物の竹は各地に広く繁茂して採取も容易で有る。  麦は大規模に栽培されて麦の脱穀後に麦茎は廃棄処分されるもので入手は容易すくストロー材料には事欠かない。
【０００９】  本考案の植物茎ストローに供する中空茎構造植物の竹茎や麦茎は自然界に廃棄されても微生物に分解され自然淘汰サイクルに組み込まれ消滅している。  竹茎や麦茎は自然界に廃棄されても環境汚染や海洋汚染を引き起こす事はなく最適のストロー材として植物茎ストローが製造できる。
【００１０】  本考案の植物茎ストローに供する中空茎構造植物の竹茎、麦茎は［図１］６ａ、６ｂの様に節を有している、ストローの機能を満たすには、ストローの寸法に［図１］１ａ、１ｂの箇所を切断し［図１］２の様に残ったパイプ状の竹茎、麦茎が出来る、これを集めて煮沸すれば、あく抜きも出来て着色も容易になり殺菌もできる、引き上げ乾燥して植物茎ストローが来上がる。
【符号の説明】
【００１１】    １ａ  竹茎、麦茎の切断箇所
１ｂ  竹茎、麦茎の切断箇所
２    ストローの寸法に上下１ａ、１ｂを切断した竹茎、麦茎
３    竹茎
４    麦茎
５    麦穂
６  節
７  根
【図１】
0003221054.tif 000003
【手続補正書】
【提出日】平成31年1月31日(2019.1.31)
【手続補正１】
【補正対象書類名】明細書
【補正対象項目名】０００２
【補正方法】変更
【補正の内容】
【０００２】  従来のストローはプラスチック樹脂が主流であった、プラスチック樹脂が自然界に廃棄されるとマイクロプラスチック化して環境汚染や海洋汚染を引き起こし深刻な問題になっている。  自然界に廃棄されても環境汚染や海洋汚染を引き起こさないストローが求められている。
【手続補正２】
【補正対象書類名】明細書
【補正対象項目名】０００４
【補正方法】変更
【補正の内容】
【０００４】従来のプラスチック樹脂のストローには次の様な欠点があった。
（イ）自然界に廃棄されると分解されずマイクロプラスチック化して環境汚染や海洋汚染を引き起こし深刻な問題になっている。
（ロ）製造過程は複雑で製造設備も高価である。
本考案はこれらの欠点をなくすためになされたものである。
【手続補正３】
【補正対象書類名】明細書
【補正対象項目名】０００５
【補正方法】変更
【補正の内容】
【０００５】  従来のプラスチック樹脂のストローは自然界に廃棄されるとマイクロプラスチック化し環境汚染や海洋汚染を引き起こし深刻な問題になっている。
中空茎構造植物の竹は各地に広く繁茂している、また中空茎構造の麦は大規模に栽培されている、麦茎は麦の脱穀後に廃棄処分されるもので入手は容易い。  竹茎、麦茎で植物茎ストローを製造すれば自然界に廃棄されても微生物に分解され環境汚染や海洋汚染を引き起こさない。
(57)【要約】【課題】履くだけで足の指と指の間を広げ外反母趾・内反小趾を矯正することができる靴下を提供する。【解決手段】本考案は指付靴下で指１、２、３の生地を、厚み１ａ、２ａ、３ａを施し厚くして厚みを出して、履くだけで指と指の間が広がるようにした。【選択図】図１
0003221048.tif 000002
【実用新案登録請求の範囲】
【請求項１】
指付靴下で指の生地を厚くすることにより厚みを出して履くだけで足の指と指の間を広げる外反母趾・内反小趾矯正靴下。
【考案の詳細な説明】
【技術分野】
【０００１】    本考案は、指付靴下で指の生地を厚くすることにより厚みを出して履くだけで足の指と指の間を広げ、外反母趾・内反小趾を矯正するための、靴下に関するものである。
【背景技術】
【０００２】    外反母趾・内反小趾を矯正するために、靴下にゴム等の拡張部材を縫い付けたり、靴下の先端部分の生地を折り返したりして足の指と指の間を広げていた。
【先行技術文献】
【特許文献】
【０００３】
【特許文献１】特開２０００−１１６６９８
【特許文献２】特開平１１−０１２８０３
【特許文献３】特開２０１１−０５０７１８
【考案の概要】
【考案が解決しようとする課題】
【０００４】    ゴム等の拡張部材が縫い付けてある靴下は異物感や違和感に加え痛みを伴うこともある。折り返して履く靴下は手間がかかる。従って、指の生地を厚くすることにより厚みを出して履くだけで指と指の間を広げ前述の欠点を解決しようとするものである。
【課題を解決するための手段】
【０００５】    指付靴下で指と指の間を広げたい指の生地を厚くする。履くだけで生地の厚みで指と指の間が広がり、問題点を解決している。
なお、指の部分の生地を厚くするための方法は、厚手の生地あるいは太い糸を使う等、限定しない。さらに、生地を厚くする場所、指の本数、指の組み合わせ等は限定しない。また、生地を厚くする場所は、指先を除き、あるいは指の間の部分だけにし、または、指の間の片面のみにするなどであってもよい。
【考案の効果】
【０００６】    生地の厚みで足の指と指の間を広げ履くだけで外反母趾・内反小趾を矯正することができる。
【図面の簡単な説明】
【０００７】
【図１】  指付き靴下で親指１、人差し指２、小指３の生地を、厚み１ａ、２ａ、３ａを施し厚くして厚みを出して、指と指の間を広げる外反母趾・内反小趾矯正靴下の概略図である。
【図２】  指付き靴下で親指１の生地を、厚み１ａを施し厚くして厚みを出して、指と指の間を広げる外反母趾・内反小趾矯正靴下の概略図である。
【図１】
0003221048.tif 000003
【図２】
0003221048.tif 000004
(57)【要約】      （修正有）【課題】美しく、動きやすく、着心地が良い、快適さを追求したジャケットを提供する。【解決手段】前身頃の肩線と後身頃３の肩線とを縫い合わせて縫製されるジャケット１において、肩線１０は、ジャケットを着用する着用者の肩よりも背中側に直線状に延びて形成されている。【選択図】図２
0003221009.tif 000002
【実用新案登録請求の範囲】
【請求項１】
前身頃の肩線と後身頃の肩線とを縫い合わせて縫製されるジャケットであって、
前記前身頃の肩線と前記後身頃の肩線とが縫い合わされた前記ジャケットの肩線は、前記ジャケットを着用する着用者の肩よりも背中側において直線状に延びているジャケット。
【考案の詳細な説明】
【技術分野】
【０００１】
本開示は、スーツや学生服、業務用のユニフォーム等の上着であるジャケットに関する。
【背景技術】
【０００２】
従来のジャケットは、前身頃の肩線と後身頃の肩線とが縫い合わされて縫製され、両肩線が縫い合わされて形成されたジャケットの肩線は通常、ジャケットの肩上を襟から袖まで延びるように位置している。
【考案の概要】
【考案が解決しようとする課題】
【０００３】
しかしながら、このような従来のジャケットでは、肩の周辺の動きが制限されて着心地が悪いといった問題点があった。また、肩の周辺の動きが制限されて引っ張られるので、肩の周辺に皺が発生してしまうといった問題点もあった。
【０００４】
上述の事情に鑑みて、本開示は、美しく、動きやすく、着心地が良い、快適さを追求したジャケットを提供することを目的とする。
【課題を解決するための手段】
【０００５】
本開示に係るジャケットは、前身頃の肩線と後身頃の肩線とを縫い合わせて縫製されるジャケットであって、前身頃の肩線と後身頃の肩線とが縫い合わされたジャケットの肩線は、ジャケットを着用する着用者の肩よりも背中側において直線状に延びている。
【考案の効果】
【０００６】
本開示によれば、前身頃の肩線と後身頃の肩線とが縫い合わされたジャケットの肩線は、ジャケットを着用する着用者の肩よりも背中側において直線状に延びているので、着用者の身体にフィットして、美しさと、動きやすさと、着心地の良さを提供し、着用者が快適さを感じることができる。
【図面の簡単な説明】
【０００７】
【図１】本開示の一実施形態に係るジャケットの正面図である。
【図２】本開示の一実施形態に係るジャケットの背面図である。
【図３】本開示の一実施形態に係るジャケットの前身頃と後身頃とを分解して展開した図である。
【考案を実施するための形態】
【０００８】
以下、添付図面を参照して本考案のいくつかの実施形態について説明する。ただし、本考案の範囲は以下の実施形態に限定されるものではない。以下の実施形態に記載されている構成部品の寸法、材質、形状、その相対配置などは、本考案の範囲をそれにのみ限定する趣旨ではなく、単なる説明例に過ぎない。
【０００９】
図１に示されるように、ジャケット１の前身頃２には、１つの胸ポケット１３と、２つの腰ポケット４，４とが設けられている。また、前身頃２には、略三角形状の一部分を折り曲げて形成された下襟５，５が形成され、下襟５，５の上部において首周りに沿って延びる襟６が設けられている。前身頃２は、左右部分を互いにボタン７で止められるようになっている。ただし、前身頃２のこの形態は、従来のジャケットと大きな違いはなく、ポケットの数、位置及び形状、下襟５の有無、並びに下襟５及び襟６の形状、ボタン７の数等については任意に変更可能である。
【００１０】
図２に示されるように、ジャケット１の後身頃３には、襟６から左右の袖８，８のそれぞれと後身頃３との接続部分９まで直線状に延びるジャケット１の肩線１０が形成されている。肩線１０は、図３に示されるように、前身頃２の肩線１１と後身頃３の肩線１２とが縫い合わされた部分である。
【００１１】
図２に示されるように、肩線１０は、肩よりも背中側に位置している。このため、肩線１０は、ジャケット１を正面から見たときに（図１に示されるように）見えないようになる。これにより、ジャケット１を着用したときに、日本人の体形に沿った美しい肩ラインを実現できる。また、日本人の体形の特徴である前肩を目立たなくし、より身体にフィットして美しさと動きやすさと、着心地の良さを提供し、着用者が快適さを感じることができるようになる。
【００１２】
ジャケット１が学生服の場合、学生が机に向かう姿勢では、腕が前に出やすく負担が軽減されるので、学生が快適さを感じるようになる。また、肩線１０が肩よりも背中側に位置しているので、カバンを肩にかけたときにアタリを軽減することもできる。
【００１３】
このように、前身頃２の肩線１１と後身頃３の肩線１２とが縫い合わされたジャケット１の肩線１０は、ジャケット１を着用する着用者の肩よりも背中側において直線状に延びているので、着用者の身体にフィットして、美しさと、動きやすさと、着心地の良さを提供し、着用者が快適さを感じることができる。
【００１４】
尚、本開示のジャケット１は、学生服の上着に限定するものではなく、一般のスーツや業務用のユニフォーム等の上着とすることもできる。
【符号の説明】
【００１５】
１  ジャケット
２  前身頃
３  後身頃
１０  肩線（ジャケットの肩線）
１１  肩線（前身頃の肩線）
１２  肩線（後身頃の肩線）
【図１】
0003221009.tif 000003
【図２】
0003221009.tif 000004
【図３】
0003221009.tif 000005
(57)【要約】      （修正有）【課題】帽子が風に飛ばされない為にスベリ部にスリットを設け、スリットに帽子クリップをはさんで使用出来る帽子を提供する。【解決手段】帽子の内側のスベリ部３の一部に帽子本体への縫製をしないでミシン目スリット５、６を設ける。そのスリットに帽子クリップ７をはさみ込み、もう一方のクリップの端を洋服の襟に付けて、帽子が風に飛ばされることを防止する。【選択図】図１
0003221026.tif 000002
【実用新案登録請求の範囲】
【請求項１】
帽子の内側のスベリ部の一部を帽子本体への縫製をしないでスリットを設けることにより、そのスリットを利用して風に飛ばされない機構を有する事を特徴とする帽子。
【考案の詳細な説明】
【技術分野】
【０００１】  本考案は飛ばされない為にスベリ部分にスリットを設けた帽子に関するものである。
【背景技術】
【０００２】  風に飛ばされない為に従来は帽子の鍔と襟に帽子クリップを付けていた。
【先行技術文献】
【特許文献】
【０００３】
【特許文献１】特開平０６−３２２６０５号  公報
【考案の概要】
【考案が解決しようとする課題】
【０００４】  これは次のような欠点があった。従来の帽子クリップは鍔と襟にはさんで使用されていた。しかしクリップの紐が顔より離れている為、紐が大きく動き不快感があった。本考案は以上のような欠点をなくす為になされたものである。
【課題を解決する為の手段】
【０００５】  本考案は、帽子の内側のスベリ部の一部を帽子本体への縫製をしないでスリットを設けることにより、そのスリットを利用して風に飛ばされない機構を有する事を特徴とする帽子。
帽子の内側のスベリ部（３）にスリット（５）（６）を設け、そのスリットに帽子クリップ（７）をはさんで使用する。本考案は以上の構成よりなる風に飛ばされない為の帽子である。
【考案の効果】
【０００６】  スリットがスベリ部にあるので帽子クリップと顔の距離が縮まり首の動きがスムーズになり爽快感がある。
【図面の簡単な説明】
【０００７】
【図１】  本考案の斜視図である。
【図２】  本考案の底面図である。
【図３】  本考案の着装図である。
【考案を実施するための形態】
【０００８】  帽子本体（１）のスベリ（３）のスリット（５・６）に帽子クリップ（７）をはさみ込む。もう一方の帽子クリップの端を洋服の襟に付ける。本考案は以上のような構造である。
【符号の説明】
【０００９】１  帽子本体
２  鍔
３  スベリ
４  ミシン縫目
５  ミシン目スリット
６  ミシン目スリット
７  帽子クリップ
【図１】
0003221026.tif 000003
【図２】
0003221026.tif 000004
【図３】
0003221026.tif 000005
【手続補正書】
【提出日】平成31年2月4日(2019.2.4)
【手続補正１】
【補正対象書類名】実用新案登録請求の範囲
【補正対象項目名】全文
【補正方法】変更
【補正の内容】
【実用新案登録請求の範囲】
【請求項１】
帽子の内側のスベリ部の一部を帽子本体への縫製をしないで、帽子クリップをはさみ込むためスリットを設けた事を特徴とする帽子。
(57)【要約】      （修正有）【課題】積雪を少なくする、あるいは無くすことで、積雪からの被害を防止する溶雪排除装置を提供する。【解決手段】装置は、電磁プレートと、その上に配置された発熱体とを有し、屋根や屋上の雨樋近くに設置する。積雪を電磁プレ−トと発熱体を利用して、低温湯や水に変え排除する。【選択図】図２
0003221023.tif 000002
【実用新案登録請求の範囲】
【請求項１】
雪害対策として電磁ブレ−トと発熱体を設置し、積雪を溶かし排除する。
その内容は、家屋では積雪部端に設置し、徐々に低温湯や水に変え排除する。屋根や屋上では雨樋近くに設置し、積もった雪を端から溶かし、屋根や屋上全体の雪を減らし無くすとともに、雨樋が凍り詰まる時には、ここにも電磁ブレ−トと発熱体を設置し、凍り詰まらない様にして、下水や川に流す。下水が凍り詰まるときには下水にも電磁ブレ−トと発熱体を設置する。道路では等間隔に電磁ブレ−トと発熱体を設置して、積雪を低温湯や水に変え、道路より排水する。鉄道では車輪に影響しない範囲で、レ−ルの上部近くに電磁ブレ−トと発熱体を設置し積雪を低温湯や水に変え排水する。レール周辺の積雪がレ−ルに影響するときはレ−ル周辺にも電磁ブレ−トと発熱体を設置し、排水する。山野などでは、積雪で雪崩、草木被害、畑等、家屋などに被害の出る所には、この付近に電磁ブレ−トと発熱体を設置し積雪を少なくしながら排水する。排水の所で凍り詰まる場合はこの場所にも電磁ブレ−トと発熱体を設置し、排水可能な所まで誘導する。
【考案の詳細な説明】
【技術分野】
【０００１】  本考察は、積雪に対し、電磁ブレ−トと発熱体を使用することで積雪を溶かし、排除する事に関する考案である。
【背景技術】
【０００２】  積雪により、家屋、列車、車、山間等で様々な被害・事故が起こり、人命を落とす事もあることは公知されているが、温水利用以外に熱源を使用して積雪を軽減する装置はなかった。
【考案の概要】
【考案が解決しようとする課題】
【０００３】  しかしながら、温水利用は地域に限られ使用範囲が狭い。現実問題としては、屋根などでは、雪下ろしや落雪で人命を失う事故、隣家とのトラブルがある。列車などでは、積雪事故や列車の遅れがある。車などでは、事故の他、道路の積雪で雪中で長期に止められると乗車する者の命の危機となる。また、物資を目的地に届ける事も不可能になる結果、ドロ−ン使用配達も降雪中は飛べず、陸の孤島になり、生活が出来なくなる所もできている。山野では積雪被害も大規模に発生する。必ず人命を何としても守らなくてはならない。
【課題を解決するための手段】
【０００４】  電磁プレ−トと発熱体を積雪の排除該当部分に設置し、雪を解かすことにより、排水が途中でとまらない所まで、少しづつ排除する。これにより上記課題は解決できる。
【考案の効果】
【０００５】  家屋では、雪下ろしの重労働から解放され、転落や落雪で人命を失う事故や隣家とのトラブルから救われる。列車では積雪事故の撲滅、列車の遅れが無くなり、乗降する人たちへの被害がなくなる。車では車の通行止めや雪中でのとじ込まめられがなくなり、物資の配達可能により、陸の孤島が無くなり、生活が安全になる。山間では、大きな雪崩防止をするとともに、積雪や雪崩での草木の被害を防ぎ、人家、田畑への被害を減らす。実用性にすぐれた装置である。
【図面の簡単な説明】
【０００６】
【図１】本考案に関わる、電磁ブレ−トと発熱体の組み合わせを示す。
【実施例】
【０００８】
【図２】
家屋や屋上に使用時の工程図である。屋根や屋上の積雪には、そのの端、軒先に電磁プレ−トと発熱体を設置し、端より水に変え、雨樋を通じて排水し、徐々に屋根や屋上の積雪を減らしていく。雨樋が凍り排水不能の場合にはここにも設置する。また、下水路など排水路が凍り、排水不能のときはここにも設置する。
【０００９】
【図３】
鉄道に使用時の工程図である。レールへの積雪には、この装置を車輪の妨げのない所に設置して、潤滑な車輪の回転による列車の移動を可能にする。周囲の積雪が列車の運行を妨げるときは、この周囲にも設置し、排水する。図２と同様に下水路など排水路が凍り、排水不能のときはここにも設置する。
【００１０】
【図４】
道路に使用時の工程図である。道路上の積雪には、等間隔に設置して、積雪を水に変え排水する。図２、図３同様に下水路など排水路が凍り、排水不能のときはここにも設置する。
【００１１】
【図５】
山野使用時の工程図である。山野の積雪時に、沢に設置して徐々に排水する。雪崩など予見できる場所には、その近くに設置し、水に変え排水する。雪崩を小さく又は無くす事を目的とする。野の所などにも雪害の予見できる場所には、その近くに設置し、水に変え排水する。図２、図３、図４同様に下水路など排水路が凍り、排水不能のときはここにも設置する。
【産業上の利用可能性】
【００１２】電磁プレ−トと発熱体の技術はすでに確立されており、この形態を、屋根、列車、道、山野用等に加工すれは、すぐに運用可能である。現在行われている積雪対策費用、積雪時へ水道管深地下埋没費用等を考えると充分採算はある。家屋などへの使用が個人経費の場合は、補助金政策の有無があっても、その費用規模は大きくなり、経済成長の効果が期待され、また、赤字に悩む電気器具加工販売会社には起死回生のツ−ルとなる。鉄道関係や道路では設置以降、積雪対策費用の大幅な減少が期待できる。
【図１】
0003221023.tif 000003
【図２】
0003221023.tif 000004
【図３】
0003221023.tif 000005
【図４】
0003221023.tif 000006
【図５】
0003221023.tif 000007
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
調理用電磁プレ−トとその発熱体を組み合わせ、積雪の解氷に用いる。
【手続補正書】
【提出日】平成31年2月4日(2019.2.4)
【手続補正１】
【補正対象書類名】実用新案登録請求の範囲
【補正対象項目名】全文
【補正方法】変更
【補正の内容】
【実用新案登録請求の範囲】
【請求項１】
電磁プレ−トと、前記電磁プレ−ト上に配置された発熱体とからなる、積雪を溶かし排除する装置。
(57)【要約】      （修正有）【課題】食品おろし作業の効率化と調理時間の短縮と利便性の向上を図るおろし器を提供する。【解決手段】漏斗状のおろし面１の中央部に開口部２を開け、おろし面１においておろされた食品が自重で開口部２を通過し、受け皿３に溜まり集まるようにした。【選択図】図１
0003221028.tif 000002
【実用新案登録請求の範囲】
【請求項１】
大根等の各種食品をおろす器材において、平面ではなく、立体の漏斗状の形状にしたおろし面。
【請求項２】
漏斗状のおろし面の中央に位置する開口部。
【請求項３】
大根等の各種食品をおろす器材において、平面ではなく、立体の凸状の形状にしたおろし面。
【請求項４】
凸状のおろし面の周辺に位置する開口部。
【考案の詳細な説明】
【技術分野】
【０００１】      本考案は、おろし面の形状を漏斗状もしくは凸状にし、それぞれの形状に対応し、中央もしくは周辺に開口部を設けた大根等の食品のおろし器に関するものである。
【背景技術】
【０００２】    従来の人間が直接食品を手に持って使用する食品おろし器においては、おろし面は平面四角形であり、おろした食品を集めるための方法としては、平面のおろし面を斜めに傾けることにより底部に集めるか、おろし面を平面円状にし、円の周辺部に開口部を設けそこからおろした食品を受け皿に落として集めるかの方法であった。
【考案の概要】
【考案が解決しようとする課題】
【０００３】    食品のおろし面が平面四角形である場合、おろした食品を受け皿に集める為には、おろし面を斜めに傾けて、おろした食品を底部に集め、さらに、おろした食品を、指もしくはスプーン等により受け皿に移動するというステップが必要である。【０００３】    食品のおろし面を平面円状にして、周辺部に開口部を開け、そこからおろした食品を受け皿に落とす形状の場合、やはり指もしくはスプーン等による移動が必要である。
【課題を解決するための手段】
【０００４】    おろし面を漏斗状の形状にすることにより、おろされた食品は、自重により、下方に移動し、そのおろし面の最下方中央部に開口部を設けておけば、その開口部よりさらに下方に流れ出る。【０００５】    その開口部直下に受け皿を用意すれば、おろされた食品はそのまま受け皿に溜まる。【０００６】    あるいは、おろし面を凸状の形状にすることにした場合には、おろされた食品は、自重により、周辺下方部に移動し、そのおろし面の最下方周辺部に開口部を設けておけば、その開口部よりさらに下方に流れでる。【０００７】    その開口部直下に受け皿を用意すれば、おろされた食品はそのまま受け皿に溜まる。
【考案の効果】
【０００８】  従来の人間が直接食品を手に持って使用する食品おろし器にはない、非平面のおろし面の形状を採用することにより、より効率的な食品おろしが可能となり、調理時間の短縮と利便性の向上に繋がる。
【図面の簡単な説明】
【０００９】
【図１】本考案の漏斗状おろし面の場合の概略図である。
【図２】本考案の凸状おろし面の場合の概略図である。
【符号の説明】
【００１０】１漏斗状おろし面
２漏斗状おろし面の下部に設置した開口部
３受け皿
４凸状おろし面
５凸状おろし面の周辺下部に設置した開口部
６受け皿
【図１】
0003221028.tif 000003
【図２】
0003221028.tif 000004
【手続補正書】
【提出日】平成31年1月31日(2019.1.31)
【手続補正１】
【補正対象書類名】実用新案登録請求の範囲
【補正対象項目名】全文
【補正方法】変更
【補正の内容】
【実用新案登録請求の範囲】
【請求項１】
大根等の各種食品をおろす器材において、平面ではなく、立体の漏斗状の形状にしたおろし面を持ち、その漏斗状のおろし面の最下部に開口部を設けることを特徴とするおろし器。
(57)【要約】      （修正有）【課題】急性肺血栓塞症（エコノミークラス症候群）の予防運動補助用具を提供する。【解決手段】ダンボール製の足の甲の約半分のみを覆う円錐型の用具であって、挿入部１を有し、つま先を挿入して底部を支点に足首を上下・左右・回転させることにより脚部の血流の増加を促進長時間座ったままの旅行中に発生する急性肺血栓塞症（エコノミークラス症候群）を予防するものである。【選択図】図１
0003221030.tif 000002
【実用新案登録請求の範囲】
【請求項１】
人のつま先を挿入する用具であって、足の甲の約半分のみを覆う円錐型の予防運動補助用具。
【考案の詳細な説明】
【技術分野】
【０００１】  本考案は円錐型の物体に関するものである。
【背景技術】
【０００２】  急性肺血栓塞症（エコノミークラス症候群）発症防止に具体的な対策が採られていない。
【考案の概要】
【考案が解決しようとする課題】
【０００３】  航空会社は急性肺血栓塞症（エコノミークラス症候群）を予防するために注意喚起の小冊子等を配布又は有料で機内ピラティスを行ったりする航空会社もあるが具体的な対策を採っていないのが大多数である。
【課題を解決するための手段】
【０００４】  本考案は座席に座り靴を脱いで円錐型の物体につま先を挿入、先端を支点として足首を上下・左右・回転などさせて旅行中の脚部の血流を増加させ、急性肺血栓塞症（エコノミークラス症候群）発症を予防するものである。本考案の材質は紙・プラスチック・ゴム等で可。
【考案の効果】
【０００５】  この用具で旅行中の脚部の血流を増加させることで、日本及び諸外国で頻発する急性肺血栓塞症（エコノミークラス症候群）を予防することが可能である。
【図面の簡単な説明】
【０００６】
【図１】
【考案を実施するための形態】
【０００７】  座席に座り靴を脱いで本考案物体につま先を挿入、底部を支点として上下・左右・回転などの足首の運動をさせる。
【実施例】
【０００８】以下添付図面に従って実施例を説明する。
座席に座り靴を脱いで図１につま先を挿入、先端部を支点として上下・左右・回転などの足首の運動をさせる。１時間に片足につき３〜４分程度動かせば脚部の血流促進に繋がる。この用具は、小冊子等などによる注意喚起だけでは実際には脚部の運動を行わない旅行客に意識改革を促し実行に移す効果が期待できる。
【符号の説明】
【０００９】  １  挿入部
２  本体
３  先端部
【図１】
0003221030.tif 000003
【手続補正書】
【提出日】平成31年2月19日(2019.2.19)
【手続補正１】
【補正対象書類名】明細書
【補正対象項目名】０００６
【補正方法】変更
【補正の内容】
【０００６】
【図１】  急性肺血栓塞症予防運動補助用具の全体図
(57)【要約】      （修正有）【課題】就寝時において精神的及び肉体的にリラックスした状態で睡眠状態へ移行することができるまくらを提供する。【解決手段】まくらＡは、就寝者の上半身の下に位置させる平担状の基部１と、この基部１に載置されて就寝者の頭部を載せるまくら本体部２とを有し、まくら本体部２は、左右側面個所に就寝者の左，右の手が夫々入る窪み部３ｂを有する。【選択図】図１
0003221040.tif 000002
【実用新案登録請求の範囲】
【請求項１】
就寝者の上半身の下に位置させる平担状の基部と、この基部に載置されて前記就寝者の頭部を載せるまくら本体部とを有し、前記まくら本体部は、左右側面個所に前記就寝者の左右の手が夫々入る窪み部を有することを特徴とするまくら。
【請求項２】
前記基部は、横から見ると前記まくら本体部を載せる一端側の厚みが前記一端側の反対に位置する他端側の厚みに対して漸次厚くなっている略くさび形状であることを特徴とする請求項１に記載したまくら。
【考案の詳細な説明】
【技術分野】
【０００１】  本考案は、例えば、就寝時において精神的及び肉体的にリラックスした状態で睡眠状態へ移行することができるまくらに関する。
【背景技術】
【０００２】  安眠や快適な睡眠等を目的とするまくらは種々考案されており、下記先行技術文献で示すような各種の形態のものが知られている。
【先行技術文献】
【特許文献】
【０００３】
【特許文献１】実用新案登録第３１５７５４５号公報
【特許文献２】実用新案登録第３１８１８０９号公報
【考案の概要】
【考案が解決しようとする課題】
【０００４】  斯かる先行技術文献では、頭部を載せる形状に注目して睡眠時の状態に着目しているが、就寝時において精神的及び肉体的にリラックスした状態で睡眠状態へ移行することは考慮していない。
【課題を解決するための手段】
【０００５】  本考案は、このような問題を解決するために、就寝者の上半身の下に位置させる平担状の基部と、この基部に載置されて前記就寝者の頭部を載せるまくら本体部とを有し、前記まくら本体部は、左右側面個所に前記就寝者の左右の手が夫々入る窪み部を有するものとしたことを特徴とするまくらである。【０００６】  特に、本考案は、前記まくらにおいて、前記基部は、横から見ると前記まくら本体部を載せる一端側の厚みが前記一端側の反対に位置する他端側の厚みに対して漸次厚くなっている略くさび形状である。
【考案の効果】
【０００７】  本考案に係るまくらは、就寝時において精神的及び肉体的にリラックスした状態で睡眠状態へ移行することができ、特に、前記就寝者が自然な状態でこのまくらを使用することができる。
【図面の簡単な説明】
【０００８】
【図１】  本考案の実施例を示す斜視図である。
【図２】  同上の平面図である。
【図３】  同上の要部断面図である。
【図４】  同上の側面図である。
【考案を実施するための形態】
【０００９】  本考案に係るまくらは、就寝者の上半身の下に位置させる平担状の基部と、この基部に載置されて前記就寝者の頭部を載せるまくら本体部とを有し、前記まくら本体部は、左右側面個所に前記就寝者の左右の手が夫々入る窪み部を有しており、就寝時において精神的及び肉体的にリラックスした状態で睡眠状態へ移行することができる。
【００１０】  特に、前記基部は、横から見ると前記まくら本体部を載せる一端側の厚みが前記一端側の反対に位置する他端側の厚みに対して漸次厚くなっている略くさび形状であり、前記就寝者が自然な状態でこのまくらを使用することができる。
【実施例】
【００１１】  以下、添付図面に基づいて本考案の実施例を説明する。【００１２】  各図において、Ａは本考案に係るまくらであり、上半身、特に肩、首及び頭部の下に位置させる平担状の基部１と、この基部１の左右略中央でかつ一端側に載置されて前記頭部を載せるまくら本体部２とからなり、これらは適度な弾力性を有する構造となっている。【００１３】  基部１は、上方から見た平面形状が略四角形で、横から見るとまくら本体部２を載せる前記一端側の厚みが前記一端側の反対に位置する他端側の厚みに対して漸次厚くなっている略くさび形状である。【００１４】  まくら本体部２は、横長で適度な高さを有しており、中央部は前記頭部を載せるために若干の窪みが形成してあることは一般的なまくらと同様であるが、左右側面個所に前記就寝者の左，右の手が夫々入る左窪み部３ａ，右窪み部３ｂを設けてある点に特徴がある。【００１５】  なお、基部１とまくら本体部２とは、それらの当接個所の全体又は一部において、面ファスナー（所謂マジックテープ）やスナップボタン等の脱着部材が設けてあり、双方を固定している。【００１６】  斯かる構成により、仰向け又は俯せにての就寝時にまくら本体部２に前記頭部を載せた状態で左，右の窪み部３ａ，３ｂには、就寝者の左，右の各手首辺りまで入れることができる構成となっている。【００１７】  これにより、前記就寝者の脇の下が開いて肩甲骨が適度な角度で上方へ位置する。【００１８】  このような状態を得ることは、就寝者の就寝時において精神的及び肉体的にリラックスした状態で睡眠状態へ移行することができるものである。【００１９】  ところで、就寝者が睡眠様態へ以降した後は、左，右の窪み部３ａ，３ｂに入れていた手は抜けることになるが、当該まくらＡは、就寝時において精神的及び肉体的にリラックスした状態で睡眠状態へ移行することを目的とするものであり、斯かる目的を達成することができる。【００２０】  基部１の平面形状は、略四角形以外にも略円形や任意の形状、例えば、所定の図柄を施した動物の形状等であっても良いが、本体部２を載せる前記一端側の厚みが前記一端側の反対に位置する他端側の厚みに対して漸次厚くなっている略くさび形状とすることで、前記就寝者が自然な状態でこのまくらＡを使用することができる。【００２１】  本考案は、その要旨の範囲内において種々の応用が考えられるもので、形状や材質等は任意に設定することができる。
【符号の説明】
【００２２】  Ａ  まくら
１  基部
２  まくら本体部
３ａ  左窪み部
３ｂ  右窪み部
【図１】
0003221040.tif 000003
【図２】
0003221040.tif 000004
【図３】
0003221040.tif 000005
【図４】
0003221040.tif 000006
(57)【要約】      （修正有）【課題】裁断ハサミで加工ができる特殊加工された紙製の配管、ダクト用外装材を提供する。【解決手段】ダンボール等の紙製物質の表面に撥水性に優れ、かつハサミで切断が可能な無機物質、熱可塑性樹脂さらに樹脂組成物等を混合させた物質をシート状に形成し貼り付けたものを配管又は丸ダクト１の外装材４として使用する。裁断ハサミ１つで容易に加工、取り付けが可能となる。【選択図】図１
0003221036.tif 000002
【実用新案登録請求の範囲】
【請求項１】
裁断ハサミ１つで切断可能な撥水性物質が表面に加工された紙製の配管・ダクト用外装材。
【考案の詳細な説明】
【技術分野】
【０００１】  本考案は鉄板の代替品としての特殊加工紙製外装材に関するものである。
【背景技術】
【０００２】  屋外において雨などの被害を防ぐ為に断熱材を巻き付けた配管・ダクトには、外装材として鉄板材を加工して取り付けるのが一般的である。
【考案の概要】
【考案が解決しようとする課題】
【０００３】  従来鉄板材の加工に対して多種類の道具を使い分け、強い腕力、多くの加工時間が必要とされている。
【課題が解決するための手段】
【０００４】  本考案は上記従来例の問題点を解決すべく裁断ハサミ１つで加工が出来る特殊加工された紙製のダンボールを使用することにより問題点の解決が可能となる。
【考案の効果】
【０００５】  撥水性に優れ、かつハサミで切断が可能な無機物質、熱可塑性樹脂さらに樹脂組成物等を混合させた物質をシート状にしてダンボール等紙製物質の表面に貼り付ける。
【図面の簡単な説明】
【０００６】
【図１】保温材にて断熱加工された配管もしくは丸ダクトの外装材として使用するダンボール等の紙製物質の表面に撥水性に優れ、かつハサミで切断が可能な無機物質、熱可塑性樹脂さらに樹脂組成物等を混合させた物質をシート状に形成し貼り付けたもの。
【図２】保温材にて断熱加工された角ダクトの外装材として使用するダンボール等の紙製物質の表面に撥水性に優れ、かつハサミで切断が可能な無機物質、熱可塑性樹脂さらに樹脂組成物等を混合させた物質をシート状に形成し貼り付けたもの。
【考案を実施するための形態】
【０００７】  本来、設置された配管・ダクトに施工された断熱材等の外装材として使用されている板金材の加工は非常に高度な技術が必要であるが、作業員の数が減少している中でそのような高度な技術をすることなく出来るように工夫されたものが、「屋外対応特殊加工紙製外装材」である。
【実施例】
【０００８】  撥水性に優れ、かつハサミで切断が可能な特殊物質をシート状にしたものをダンボール等の紙製物質の表面に貼り付け、それを断熱材が取り付けられた配管、ダクトの外側に巻き込むような形で取り付け、両側の突き合わせ部（もしくは重ね合わせ部）を粘着テープで貼り付ける。【０００９】さらに断熱材が取り付けられた配管、ダクトの外周に巻き付け、付け足して伸ばしていく場合、外周に巻き付けると共に最初に取り付けた端部と新たに取り付けた端部を突き合わせ（もしくは重ね合わせ）粘着テープで貼り付ける。
【符号の説明】
【００１０】１  配管もしくは丸ダクト。
２  配管もしくは丸ダクトに取り付けられた保温材。
３  貼り合わせ、突き合わせ部に貼ったテープ。
４  ダンボール等の紙製物質の表面に撥水性に優れ、かつハサミで切断が可能な無機物質    、熱可塑性樹脂さらに樹脂組成物等を混合させた物質をシート状に形成し貼り付けた    もの。
５  角ダクト。
【図１】
0003221036.tif 000003
【図２】
0003221036.tif 000004